(57)【要約】【課題】ＡＣ型プラズマディスプレイ装置において、輝度を損ねずにストリーキングを緩和することが可能なプラズマディスプレイ装置を提供する。【解決手段】一つのフレームを複数のサブフィールドに分割表示するプラズマディスプレイパネルの駆動方法において、少なくとも一つのサブフィールドの維持放電期間には、第１の維持放電波形と、電圧の印加を開始してから所定の電圧に固定するまでの時間幅が前記第１の維持放電波形の前記時間幅に比べて短い第２の維持放電波形が印加され、前記一つのフレームの維持放電回数が多い場合には、前記維持放電回数が少ない場合に比べて、前記維持放電期間における前記第２の維持放電波形が印加される割合を増加させる。【選択図】図８
2008070915.tif 000002
【特許請求の範囲】
【請求項１】
一つのフレームを複数のサブフィールドに分割表示するプラズマディスプレイパネルの駆動方法において、
少なくとも一つのサブフィールドの維持放電期間において、
第１の維持放電波形と、電圧の印加を開始してから所定の電圧に固定するまでの時間幅が前記第１の維持放電波形の前記時間幅に比べて短い第２の維持放電波形が印加され、
前記一つのフレームの維持放電回数が多い場合には、前記維持放電回数が少ない場合に比べて、前記維持放電期間における前記第２の維持放電波形が印加される割合を増加させることを特徴とするプラズマディスプレイパネルの駆動方法。
【請求項２】
請求項１記載のプラズマディスプレイパネルの駆動方法において、
前記プラズマディスプレイパネルの駆動回路に含まれるＬＣ共振回路と電圧クランプ回路において、
前記電圧クランプ回路による前記所定の電圧へのクランプのタイミングを変化させることによって、前記時間幅を制御することを特徴とするプラズマディスプレイパネルの駆動方法。
【請求項３】
請求項１記載のプラズマディスプレイパネルの駆動方法において、
前記維持放電回数の合計が所定の定数Ｎ以上の場合は、前記維持放電回数が多くなるに従って、前記第２の維持放電波形が印加される回数を増やすことを特徴とするプラズマディスプレイパネルの駆動方法。
【請求項４】
請求項３記載のプラズマディスプレイパネルの駆動方法において、
前記維持放電回数の合計が前記定数Ｎ未満の場合には、前記維持放電回数が多くなるに従って、前記第１の維持放電波形が印加される回数を減らすことを特徴とするプラズマディスプレイパネルの駆動方法。
【請求項５】
一つのフレームを複数のサブフィールドに分割表示するプラズマディスプレイパネルの駆動方法において、
少なくとも一つのサブフィールドの維持放電期間には、
電圧の印加の開始から所定の電圧にクランプされるまでの第１の時間幅を有する第１の維持放電波形と、電圧の印加の開始から所定の電圧にクランプされるまでの第２の時間幅であって、前記第１の時間幅よりも短い第２の時間幅を有する第２の維持放電波形が印加され、
前記一つのフレームの維持放電回数が多い場合には、前記維持放電回数が少ない場合に比べて、前記維持放電期間における前記第２の維持放電波形が印加される割合が大きいことを特徴とするプラズマディスプレイパネルの駆動方法。
【請求項６】
請求項５記載のプラズマディスプレイパネルの駆動方法において、
前記維持放電回数の合計が所定の定数Ｎ以上の場合は、前記維持放電回数が多くなるに従って、前記第２の維持放電波形が印加される回数を増やすことを特徴とするプラズマディスプレイパネルの駆動方法。
【請求項７】
請求項６記載のプラズマディスプレイパネルの駆動方法において、
前記維持放電回数の合計が前記定数Ｎ未満の場合には、前記維持放電回数が多くなるに従って、前記第１の維持放電波形が印加される回数を減らすことを特徴とするプラズマディスプレイパネルの駆動方法。
【請求項８】
一つのフレームを複数のサブフィールドに分割表示するプラズマディスプレイパネルの駆動方法において、
前記複数のサブフィールドは、
維持放電期間に第１の維持放電波形が印加される第１のサブフィールドと、
維持放電期間に前記第１の維持放電波形と、電圧の印加を開始してから所定の電圧に固定するまでの時間幅が前記第１の維持放電波形の前記時間幅に比べて短い第２の維持放電波形が印加される第２のサブフィールドを含み、
前記一つのフレームの維持放電回数が多い場合には、前記維持放電回数が少ない場合に比べて、前記第２のサブフィールドの数が増加することを特徴とするプラズマディスプレイパネルの駆動方法。
【請求項９】
請求項８記載のプラズマディスプレイパネルの駆動方法において、
前記維持放電回数の合計が所定の定数Ｎ以上の場合は、前記維持放電回数が多くなるに従って、前記第２のサブフィールドにおける前記第２の維持放電波形が印加される回数を増やすことを特徴とするプラズマディスプレイパネルの駆動方法。
【請求項１０】
請求項９記載のプラズマディスプレイパネルの駆動方法において、
前記維持放電回数の合計が前記定数Ｎ未満の場合には、前記維持放電回数が多くなるに従って、前記第２のサブフィールドにおける前記第１の維持放電波形が印加される回数を減らすことを特徴とするプラズマディスプレイパネルの駆動方法。
【発明の詳細な説明】
【技術分野】
【０００１】
本発明は、パーソナルコンピュータやワークステーションなどのディスプレイ装置、平面型テレビジョン、広告や情報などの表示用プラズマディスプレイに使用されるＡＣ型プラズマディスプレイ装置の駆動技術に適用して有効な技術に関する。
【背景技術】
【０００２】
例えば、ＡＣ型カラープラズマディスプレイ装置においては、表示するセルを選択する期間（アドレス期間）と表示点灯のための放電を行う表示期間（維持放電期間）とを分離したアドレス・表示分離方式が広く採用されている。この方式においては、アドレス期間で、点灯するセルに電荷を蓄積し、維持放電期間でその電荷を利用して表示のための維持放電を繰り返す。
【０００３】
プラズマディスプレイ装置では、表示は点灯と非点灯の２状態が選択できるだけであり、放電の強度でグレイレベルを表現することはできない。そこで、プラズマディスプレイ装置では、１表示画面（１フレーム）を複数のサブフィールドで構成し、各表示セル毎に点灯するサブフィールドを組み合わせることによりグレイレベルを表示する。
【０００４】
例えば、従来のサブフィールドの構成例としては、１フレームをｎ個のサブフィールドで構成する。各サブフィールドは、表示セルを同じ状態にするリセット期間と、点灯または非点灯の表示セルを選択するアドレス期間、および点灯表示セルで維持放電を発生させて表示を行う維持放電期間とを有する。一般的に、各サブフィールドの輝度は、維持放電期間における維持放電の回数に比例しており、各サブフィールドの維持放電の回数、すなわち輝度は、所定の比率に設定されている。
【０００５】
従来のプラズマディスプレイ装置では、維持放電を発生させる維持放電パルスは１種類であり、各サブフィールドで同じ波形の維持放電パルスが使用されていた。言い換えれば、維持放電パルスの周期は一定である。従って、輝度重みの異なるサブフィールドでは、維持放電期間の長さが異なることになる。維持放電パルスの維持放電波形は、波形形状や周期に応じて発光効率および１パルスによる輝度が異なる。一方、各サブフィールド（１フレーム）の維持放電パルス数は、表示可能な階調数や表示輝度に関係する。そのため、これらを総合的に考慮して、維持放電波形、サブフィールド構成および各サブフィールドの維持放電回数が決定される。
【０００６】
一方、プラズマディスプレイ装置では、発熱や定格電流の関係から、電力の上限が設定されている。１フレーム当たりの電力は、１フレームで発生する維持放電の総数に関係している。具体的には、サブフィールド毎の点灯セル数にそのサブフィールドの維持放電パルス数を乗じた値を、全サブフィールドで合計した値である。従って、表示する画面全体が明るい表示を行う場合には電力が増加し、画面全体が暗い表示を行う場合には電力が減少する。１画面（１フレーム）全体の表示における明るさを表示負荷率と呼んでおり、例えば、１フレームにおける全表示セルの表示階調の合計値で表すことができる。表示負荷率の大きなフレームを表示すると電力が増加し、表示負荷率の小さなフレームを表示すると電力が減少する。
【０００７】
このように、サブフィールド構成は、表示可能な階調数や表示輝度を考慮して決定されるが、電力の上限も考慮する必要がある。画面全体が明るい表示を行う場合にも電力が上限を超えないようにするには、１フレームの維持放電パルス数の合計を小さな値に設定しなければならないが、これでは表示可能な階調数や表示輝度が小さくなるという問題がある。一般に、画面全体が明るい表示の発生頻度は低く、それが連続する頻度は更に低い。そこで、表示負荷率に応じて、電力が上限を超えない範囲で、サブフィールド間の輝度比を維持しながら、かつできるだけ明るい表示を行うように、各サブフィールドの維持放電パルス数を変化させる制御が行われている。この制御は、維持放電回数制御または電力制御と呼ばれる。
【０００８】
上記のように、使用される維持放電パルスは通常１種類であるが、異なる周期の維持放電パルスを使用することも提案されている。例えば、特許文献１には、周期が短くパルス幅の狭い１個のパルスと周期が長くパルス幅の広い１個のパルスを組み合わせて１単位とし、各サブフィールドでこの単位で維持放電パルスを繰り返す構成を開示している。しかし、この文献に記載された構成では、周期の長い維持放電パルスと周期の短い維持放電パルスの割合は一定である。
【特許文献１】特開２００１−２２８８２０号公報
【発明の開示】
【発明が解決しようとする課題】
【０００９】
ところで、前記のようなＡＣ型カラープラズマディスプレイ装置のアドレス・表示分離方式においては、表示電極間に電圧を印加し、維持放電を発生させる場合、横ラインの表示負荷が大きい表示状態では放電発光量が小さくなる現象（ストリーキング）がある。この現象は、インピーダンスを持つ表示電極に電流が流れる際に、電圧が降下することが原因である。このストリーキングを緩和する手段として、維持放電電流を低減することが有効ではあるが、維持放電電流の低減は、放電発光量の低下、すなわち輝度の低下につながる。従って、輝度とストリーキングは相反する関係にあり、両立しないという課題がある。
【００１０】
そこで、本発明の目的は、上記の課題を解決し、ＡＣ型プラズマディスプレイ装置において、輝度を損ねずにストリーキングを緩和することが可能なプラズマディスプレイ装置を提供することにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、次のとおりである。
【００１３】
本発明は、ＡＣ型プラズマディスプレイ装置において、一つのフレームを複数のサブフィールドに分割表示するプラズマディスプレイパネルの駆動方法に適用され、以下のような特徴を有するものである。
【００１４】
（１）少なくとも一つのサブフィールドの維持放電期間において、第１の維持放電波形と、電圧の印加を開始してから所定の電圧に固定するまでの時間幅が前記第１の維持放電波形の前記時間幅に比べて短い第２の維持放電波形が印加され、前記一つのフレームの維持放電回数が多い場合には、前記維持放電回数が少ない場合に比べて、前記維持放電期間における前記第２の維持放電波形が印加される割合を増加させる。
【００１５】
（２）前記（１）において、前記プラズマディスプレイパネルの駆動回路に含まれるＬＣ共振回路と電圧クランプ回路において、前記電圧クランプ回路による前記所定の電圧へのクランプのタイミングを変化させることによって、前記時間幅を制御する。
【００１６】
（３）前記（１）において、前記維持放電回数の合計が所定の定数Ｎ以上の場合は、前記維持放電回数が多くなるに従って、前記第２の維持放電波形が印加される回数を増やす。
【００１７】
（４）前記（３）において、前記維持放電回数の合計が前記定数Ｎ未満の場合には、前記維持放電回数が多くなるに従って、前記第１の維持放電波形が印加される回数を減らす。
【００１８】
（５）少なくとも一つのサブフィールドの維持放電期間には、電圧の印加の開始から所定の電圧にクランプされるまでの第１の時間幅を有する第１の維持放電波形と、電圧の印加の開始から所定の電圧にクランプされるまでの第２の時間幅であって、前記第１の時間幅よりも短い第２の時間幅を有する第２の維持放電波形が印加され、前記一つのフレームの維持放電回数が多い場合には、前記維持放電回数が少ない場合に比べて、前記維持放電期間における前記第２の維持放電波形が印加される割合が大きい。
【００１９】
（６）前記（５）において、前記維持放電回数の合計が所定の定数Ｎ以上の場合は、前記維持放電回数が多くなるに従って、前記第２の維持放電波形が印加される回数を増やす。
【００２０】
（７）前記（６）において、前記維持放電回数の合計が前記定数Ｎ未満の場合には、前記維持放電回数が多くなるに従って、前記第１の維持放電波形が印加される回数を減らす。
【００２１】
（８）複数のサブフィールドは、維持放電期間に第１の維持放電波形が印加される第１のサブフィールドと、維持放電期間に前記第１の維持放電波形と、電圧の印加を開始してから所定の電圧に固定するまでの時間幅が前記第１の維持放電波形の前記時間幅に比べて短い第２の維持放電波形が印加される第２のサブフィールドを含み、前記一つのフレームの維持放電回数が多い場合には、前記維持放電回数が少ない場合に比べて、前記第２のサブフィールドの数が増加する。
【００２２】
（９）前記（８）において、前記維持放電回数の合計が所定の定数Ｎ以上の場合は、前記維持放電回数が多くなるに従って、前記第２のサブフィールドにおける前記第２の維持放電波形が印加される回数を増やす。
【００２３】
（１０）前記（９）において、前記維持放電回数の合計が前記定数Ｎ未満の場合には、前記維持放電回数が多くなるに従って、前記第２のサブフィールドにおける前記第１の維持放電波形が印加される回数を減らす。
【発明の効果】
【００２４】
本願において開示される発明のうち、代表的なものによって得られる効果を簡単に説明すれば以下のとおりである。
【００２５】
本発明によれば、ＡＣ型プラズマディスプレイ装置において、輝度を損ねずにストリーキングを緩和することが可能になる。
【発明を実施するための最良の形態】
【００２６】
以下、本発明の実施の形態を図面に基づいて詳細に説明する。なお、実施の形態を説明するための全図において、同一の部材には原則として同一の符号を付し、その繰り返しの説明は省略する。
【００２７】
（本発明の実施の形態の概念）
ＡＣ型プラズマディスプレイ装置においては、前述のように、放電電流を低減した場合、放電発光量の低下をもたらすが、これは表示負荷が十分に大きい場合には問題にならない。なぜなら、表示負荷が大きい場合は、放電発光の総量は、投入電力で制限されるからである。放電電流を低減した場合、単発の放電発光量は低下するが、放電回数は増加するため、結果として、輝度は放電電流と放電回数の積、すなわち投入電力で決定される。問題となるのは、表示負荷が小さい表示状態である。詳しくは、放電回数が最大になっても、投入電力が制限値を超えない状態である。この場合、放電回数は駆動上の最大値であるため、輝度は単発の放電電流に比例する。
【００２８】
一方、ストリーキングは、表示負荷が大きい場合に特に問題となる。これは、表示負荷が大きい場合に表示電極内の電圧降下が顕著になるからである。逆に、表示負荷が小さい場合は電圧降下も小さいため、表示上の問題にはならない。
【００２９】
以上のように、輝度が問題となるのは表示負荷が小さい場合であり、逆に、ストリーキングが問題となるのは表示負荷が大きい場合である。
【００３０】
従って、表示負荷が小さい場合は放電電流を増やし、表示負荷が大きい場合には放電電流を減らす制御が、輝度とストリーキングを両立するための有効な手段となる。
【００３１】
具体的には、放電電流が多い維持放電波形と、放電電流が少ない維持放電波形を用意し、表示負荷が小さい場合は放電電流が多い維持放電波形の割合を高め、逆に表示負荷が大きい場合には放電電流が少ない維持放電波形の割合を高めればよい。
【００３２】
以上のような本発明の実施の形態の概念に基づいて、以下において、プラズマディスプレイ装置、プラズマディスプレイパネル、サブフィールドの構成の説明などを含めて、各実施の形態を具体的に説明する。
【００３３】
（プラズマディスプレイ装置の構成）
図１は、本発明の実施の形態のプラズマディスプレイ装置の全体構成の一例を示す図である。本実施の形態のプラズマディスプレイ装置は、これに限定されるものではないが、例えば一例としてＡＬＩＳ方式のＡＣ型プラズマディスプレイ装置に適用した例を示し、図示のように、プラズマディスプレイパネル３０と、Ｘ駆動回路３１と、Ｙ駆動回路３２と、アドレス駆動回路３３と、制御回路３４と、電源回路３５などから構成される。
【００３４】
プラズマディスプレイパネル３０は、横方向（長手方向）に伸びる表示電極の、Ｘ電極群およびＹ電極群と、縦方向に伸びるアドレス電極群を有する。Ｘ電極群とＹ電極群は、交互に配置され、Ｘ電極の本数がＹ電極の本数より１本多い。Ｘ電極群はＸ駆動回路３１に接続され、奇数番目のＸ電極群と偶数番目のＸ電極群に分けて、それぞれ共通に駆動される。Ｙ電極群は、Ｙ駆動回路３２に接続され、各Ｙ電極に順次走査パルスが印加されると共に、走査パルスを印加する時以外は奇数番目のＸ電極群と偶数番目のＹ電極群に分けて、それぞれ共通に駆動される。アドレス電極群は、アドレス駆動回路３３に接続され、走査パルスに同期して独立にアドレスパルスが印加される。Ｘ、Ｙ、アドレス駆動回路３１〜３３は、制御回路３４により制御され、各回路には電源回路３５から電力が供給される。
【００３５】
（プラズマディスプレイパネルの構成）
図２は、プラズマディスプレイパネルの一例を示す分解斜視図である。プラズマディスプレイパネル３０は、図示のように、前面基板１と、背面基板２などから構成される。
【００３６】
前面基板１の上には、横方向に伸びるＸ電極１１およびＹ電極１２が交互に平行に配置されている。これらのＸ電極１１およびＹ電極１２は、誘電体層１３で覆われており、さらにその表面はＭｇＯなどの保護層１４で覆われている。背面基板２には、Ｘ電極１１およびＹ電極１２に対してほぼ垂直な方向に伸びるアドレス電極１５が配置されており、アドレス電極１５はさらに誘電体層１６で覆われている。アドレス電極１５の両側には隔壁１７が配置され、列方向のセルを区分けしている。さらにアドレス電極１５上の誘電体層１６および隔壁１７の側面には紫外線により励起されて赤（Ｒ）、緑（Ｇ）および青（Ｂ）の可視光を発生する蛍光体１８、１９および２０が塗布されている。この前面基板１と背面基板２を保護層１４と隔壁１７が接するように貼り合わせて、Ｎｅ、Ｘｅなどの放電ガスを封入して、プラズマディスプレイパネル３０を構成している。
【００３７】
このプラズマディスプレイパネル３０の構造において、Ｙ電極１２は、奇数フィールドにおいて一方の側に位置するＸ電極１１との間で選択的に維持放電を行い、偶数フィールドにおいて他方の側に位置するＸ電極１１との間で選択的に維持放電を行う。従って、図１および図２に示したＡＬＩＳ方式のプラズマディスプレイ装置は、インターレース表示を行い、Ｘ電極１１とＹ電極１２のすべての間で表示ラインが形成される。
【００３８】
（サブフィールドの構成）
図３は、１フレームのサブフィールド構成（ａ）と、各サブフィールドの状態変化（ｂ）の一例を示す図である。図３（ａ）に示すように、１フレームは、ｎ個のサブフィールドＳＦ１〜ＳＦｎで構成される。各サブフィールドは、表示セルを同じ状態にするリセット期間Ｒと、点灯または非点灯の表示セルを選択するアドレス期間Ａ、および点灯表示セルで維持放電を発生させて表示を行う維持放電期間Ｓとを有する。
【００３９】
本実施の形態においては、各サブフィールドＳＦ１〜ＳＦｎの維持放電期間Ｓは、第１の維持放電波形が使用される期間Ｓ１と第２の維持放電波形が使用される期間Ｓ２で構成され、期間Ｓ１，Ｓ２の割合が変化する。図３（ｂ）は、各サブフィールドで第１の維持放電波形と第２の維持放電波形の両方が使用される状態を示している。具体的には、放電電流が多い維持放電波形と、放電電流が少ない維持放電波形を用意し、表示負荷が小さい期間は放電電流が多い維持放電波形の割合を高め、逆に表示負荷が大きい期間には放電電流が少ない維持放電波形の割合を高める。
【００４０】
（第１の実施の形態）
図４〜図６により、第１の実施の形態のプラズマディスプレイ装置の駆動方法を説明する。
【００４１】
本実施の形態のプラズマディスプレイ装置の駆動方法では、１以上の定数Ｌを設定し、各サブフィールドにおける維持放電回数の合計が定数Ｌの場合は、単発の維持放電電流が多い維持放電のみを行い、各サブフィールドにおける維持放電回数の合計が定数Ｌ未満の場合は、維持放電回数の合計が少なくなるにしたがって、単発の維持放電電流が少ない維持放電を連続的に低減しながら行う方法である。
【００４２】
図４は、本実施の形態のプラズマディスプレイ装置の駆動方法において、表示負荷に対する維持放電回数の関係（ａ）、表示負荷に対する維持放電Ａの割合の関係（ｂ）の一例を示す図である。
【００４３】
本実施の形態の駆動方法では、図４（ａ）に示すように、維持放電回数（Ｌ）に基づく表示負荷（ｌ）を境に、維持放電回数が低下を始める表示負荷以下では、全て放電電流大（維持放電Ａ）の駆動波形を印加し、それ未満の表示負荷では、全て放電電流小（維持放電Ｂ）の駆動波形を印加する。この駆動方法を、維持放電Ａの割合で考えると、図４（ｂ）に示すように、表示負荷（ｌ）以下では維持放電Ａの割合が１となり、表示負荷（ｌ）未満では維持放電Ａの割合が０となる。
【００４４】
これにより、表示負荷が小さい場合は放電電流が多い維持放電波形の割合を高め、逆に表示負荷が大きい場合には放電電流が少ない維持放電波形の割合を高めることで、輝度とストリーキングの両立が可能になる。
【００４５】
図５は、維持放電波形を出力する電気回路の一例を示す図である。この電気回路は、プラズマディスプレイパネル３０のＸ電極１１およびＹ電極１２をそれぞれ駆動するＸ駆動回路３１およびＹ駆動回路３２に含まれ、ＬＣ共振回路と、電圧クランプ回路などから構成される。ＬＣ共振回路は、プラズマディスプレイパネルの容量Ｃｐ１と共振するコイルＬ１，Ｌ２や、ダイオードＤ１，Ｄ２、トランジスタＱ３，Ｑ４、容量Ｃ１などから構成される。電圧クランプ回路は、トランジスタＱ１，Ｑ２などから構成される。これらの各トランジスタＱ１〜Ｑ４は、入力信号ＩＮ１〜ＩＮ４が入力されるドライブ回路ＰＤ１により駆動される。
【００４６】
図６は、前記図５の電気回路から出力される維持放電駆動波形において、放電電流小（ａ）、放電電流中（ｂ）、放電電流大（ｃ）の一例を示す図である。
【００４７】
一般的に、維持放電波形は、前記図５のような電気回路により、ＬＣ共振回路である程度電圧を印加した後、電圧クランプ回路にて所定の電圧に固定することにより実現される。この時、ＬＣ共振の開始から電圧クランプを行うまでの時間で、放電電流量を変化させることができる。放電電流量が多い場合は、少ない場合に比べて、ＬＣ共振の開始から電圧クランプを行うまでの時間幅を短くする。図６においては、（ａ）→（ｂ）→（ｃ）となるにつれ、電圧クランプを行うタイミングを早めており、放電電流量は（ａ）＜（ｂ）＜（ｃ）の関係になる。
【００４８】
例えば、（ａ）の維持放電波形においては、まず、トランジスタＱ３をＯＮにしてＬＣ共振を開始させ、電圧を上昇させる。そして、時間Ｔａの後、トランジスタＱ１をＯＮにして電圧をクランプさせ、電圧を電源Ｖｓに固定させる。また、（ｂ）の維持放電波形においては、トランジスタＱ１をＯＮにする時間を（ａ）よりも早める（時間Ｔｂ）ことで実現でき、さらに早める（時間Ｔｃ）ことで、（ｃ）の維持放電波形を実現できる。
【００４９】
このような（ａ）〜（ｃ）の維持放電波形が、例えばプラズマディスプレイパネル３０のＸ電極１１にＸ駆動回路３１から印加される。この場合に、Ｙ電極１２にはＹ駆動回路３２から、図示しないが（ａ）〜（ｃ）とは逆極性の維持放電波形が印加される。この逆極性の維持放電波形は、トランジスタＱ４をＯＮにしてＬＣ共振を開始させ、所定時間後、トランジスタＱ２をＯＮにして電圧を電源ＧＮＤに固定させることで実現できる。なお、前記図４に対応させた場合には、（ａ）〜（ｃ）の維持放電波形のうち、例えば（ａ）と（ｃ）が適用されるが、（ａ）と（ｂ）、（ｂ）と（ｃ）の組み合わせのように、放電電流の大小関係があれば適用できることは言うまでもない。
【００５０】
（第２の実施の形態）
図７により、第２の実施の形態のプラズマディスプレイ装置の駆動方法を説明する。
【００５１】
前記第１の実施の形態では、ある表示負荷で、放電電流の大きい波形と放電電流の小さい波形が切り替わるため、図４（ａ）中の維持放電Ａと維持放電Ｂの輝度が大きく異なると、切り替わり前後で輝度が不連続になるという問題が発生する。この問題を改善したのが本実施の形態である。
【００５２】
本実施の形態のプラズマディスプレイ装置の駆動方法では、１以上の定数Ｍを設定し、各サブフィールドにおける維持放電回数の合計が定数Ｍ以上の場合は、維持放電回数の合計が多くなるにしたがって、単発の維持放電電流が少ない維持放電を連続的に低減しながら行うとともに、残りの維持放電は単発の維持放電電流が多い維持放電を連続的に増加しながら行い、各サブフィールドにおける維持放電回数の合計が定数Ｍ未満の場合は、維持放電回数の合計が少なくなるにしたがって、単発の維持放電電流が少ない維持放電を連続的に低減しながら行う方法である。
【００５３】
図７は、本実施の形態のプラズマディスプレイ装置の駆動方法において、表示負荷に対する維持放電回数の関係（ａ）、表示負荷に対する維持放電Ａの割合の関係（ｂ）の一例を示す図である。
【００５４】
本実施の形態の駆動方法では、図７（ａ）に示すように、維持放電回数（Ｍ）に基づく表示負荷（ｍ）を境に、維持放電回数が低下を始める表示負荷以下では、混合させて、放電電流大（維持放電Ａ）の駆動波形と、放電電流小（維持放電Ｂ）の駆動波形とを印加する。この駆動方法を、維持放電Ａの割合で考えると、図７（ｂ）に示すように、表示負荷（ｍ）以下では維持放電Ａと維持放電Ｂの割合が連続的に変化する。
【００５５】
これにより、前記第１の実施の形態と同様の効果が得られると共に、前記第１の実施の形態のような輝度の不連続性の問題が改善できる。
【００５６】
（第３の実施の形態）
図８〜図１０により、第３の実施の形態のプラズマディスプレイ装置の駆動方法を説明する。
【００５７】
本実施の形態のプラズマディスプレイ装置の駆動方法では、１以上の定数Ｎを設定し、各サブフィールドにおける維持放電回数の合計が定数Ｎ以上の場合は、単発の維持放電電流が少ない維持放電をＮ回行うとともに、残りの維持放電は単発の維持放電電流が多い維持放電を行い、各サブフィールドにおける維持放電回数の合計が定数Ｎ未満の場合は、単発の維持放電電流が少ない維持放電のみを行う方法である。
【００５８】
より具体的には、各サブフィールドにおける維持放電回数の合計が定数Ｎ以上の場合は、維持放電回数の合計が多くなるにしたがって、単発の維持放電電流が多い維持放電を連続的に増加しながら行い、各サブフィールドにおける維持放電回数の合計が定数Ｎ未満の場合は、維持放電回数の合計が少なくなるにしたがって、単発の維持放電電流が少ない維持放電を連続的に低減しながら行う方法である。
【００５９】
図８は、本実施の形態のプラズマディスプレイ装置の駆動方法において、表示負荷に対する維持放電回数の関係（ａ）、表示負荷に対する維持放電Ａの割合の関係（ｂ）の一例を示す図である。
【００６０】
本実施の形態の駆動方法では、図８（ａ）に示すように、維持放電回数（Ｎ）に基づく表示負荷（ｎ）を境に、維持放電回数が低下を始める表示負荷以下では、混合させて、放電電流大（維持放電Ａ）の駆動波形と、一定の定数Ｎの維持放電回数の放電電流小（維持放電Ｂ）の駆動波形とを印加する。この駆動方法を、維持放電Ａの割合で考えると、図８（ｂ）に示すように、表示負荷（ｎ）以下では維持放電Ａと維持放電Ｂの割合が連続的に変化する。
【００６１】
これにより、前記第１，２の実施の形態と同様の効果が得られると共に、維持放電Ｂの回数がある定数で制限されているので、前記第２の実施の形態に比べて、維持放電Ａと維持放電Ｂの割合を変化させる制御が簡単になるという利点がある。例えば、前記第２の実施の形態の場合は維持放電Ａと維持放電Ｂの割合を記述した数値テーブルおよび算術処理が必要となるが、本実施の形態では、ある定数を設定するだけで制御が可能となる。
【００６２】
図９は、各サブフィールドの維持放電回数において、高負荷時（ａ）、低負荷時（ｂ）の一例を示す図である。例えば、サブフィールド構成がＳＦ１〜ＳＦ１０の場合を例に考えると、高負荷時には、（ａ）に示すように、大部分が維持放電Ｂ（放電電流小）となり、表示むら、ストリーキングは維持放電Ｂのみを用いた場合に近くなる。低負荷時には、（ｂ）に示すように、大部分が維持放電Ａ（放電電流大）となり、ピーク輝度は維持放電Ａのみを用いた場合に近くなる。
【００６３】
図１０は、混合した維持放電回数のサブフィールド構成の一例を示す図である。例えば、維持放電回数を１０回、３０回、５０回、７０回の場合を例に考えると、維持放電回数が３０回未満のサブフィールドは全て維持放電Ｂとなり、維持放電回数が３０回以上のサブフィールドは、３０回までは維持放電Ｂで、残りは維持放電Ａとなる。
【００６４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６５】
本発明は、パーソナルコンピュータやワークステーションなどのディスプレイ装置、平面型テレビジョン、広告や情報などの表示用プラズマディスプレイに使用されるＡＣ型プラズマディスプレイ装置の駆動技術に適用可能である。
【図面の簡単な説明】
【００６６】
【図１】本発明の実施の形態のプラズマディスプレイ装置の全体構成の一例を示す図である。
【図２】本発明の実施の形態のプラズマディスプレイ装置において、プラズマディスプレイパネルの一例を示す分解斜視図である。
【図３】本発明の実施の形態のプラズマディスプレイ装置において、１フレームのサブフィールド構成（ａ）と、各サブフィールドの状態変化（ｂ）の一例を示す図である。
【図４】本発明の第１の実施の形態のプラズマディスプレイ装置の駆動方法において、表示負荷に対する維持放電回数の関係（ａ）、表示負荷に対する維持放電Ａの割合の関係（ｂ）の一例を示す図である。
【図５】本発明の第１の実施の形態のプラズマディスプレイ装置の駆動方法において、維持放電波形を出力する電気回路の一例を示す図である。
【図６】本発明の第１の実施の形態のプラズマディスプレイ装置の駆動方法において、図５の電気回路から出力される維持放電駆動波形における、放電電流小（ａ）、放電電流中（ｂ）、放電電流大（ｃ）の一例を示す図である。
【図７】本発明の第２の実施の形態のプラズマディスプレイ装置の駆動方法において、表示負荷に対する維持放電回数の関係（ａ）、表示負荷に対する維持放電Ａの割合の関係（ｂ）の一例を示す図である。
【図８】本発明の第３の実施の形態のプラズマディスプレイ装置の駆動方法において、表示負荷に対する維持放電回数の関係（ａ）、表示負荷に対する維持放電Ａの割合の関係（ｂ）の一例を示す図である。
【図９】本発明の第３の実施の形態のプラズマディスプレイ装置の駆動方法において、各サブフィールドの維持放電回数における、高負荷時（ａ）、低負荷時（ｂ）の一例を示す図である。
【図１０】本発明の第３の実施の形態のプラズマディスプレイ装置の駆動方法において、混合した維持放電回数のサブフィールド構成の一例を示す図である。
【符号の説明】
【００６７】
１…前面基板、２…背面基板、１１…Ｘ電極、１２…Ｙ電極、１３…誘電体層、１４…保護層、１５…アドレス電極、１６…誘電体層、１７…隔壁、１８〜２０…蛍光体、３０…プラズマディスプレイパネル、３１…Ｘ駆動回路、３２…Ｙ駆動回路、３３…アドレス駆動回路、３４…制御回路、３５…電源回路。
【図１】
2008070915.tif 000003
【図２】
2008070915.tif 000004
【図３】
2008070915.tif 000005
【図４】
2008070915.tif 000006
【図５】
2008070915.tif 000007
【図６】
2008070915.tif 000008
【図７】
2008070915.tif 000009
【図８】
2008070915.tif 000010
【図９】
2008070915.tif 000011
【図１０】
2008070915.tif 000012